(57)【要約】【課題】基礎上面の面積が小さい場合でも、基礎との面圧を十分に確保するができ、太陽光パネル用架台のフレーム構造体と基礎との固定時の作業性に優れる太陽光パネル用架台の補強部材を提供する。【解決手段】太陽光パネル用架台の補強部材５は、第一締結部材１５を介して太陽光パネル用架台のフレーム構造体１に固定されるとともに、第二締結部材１６を介して基礎８に固定される補強部材本体１７を備える。補強部材本体１７は、フレーム構造体１の少なくとも一部分を収納する第一収納部１８と、第二締結部材１６の少なくとも一部分を収納する第二収納部１９と、を有する。【選択図】図１
2017121167.tif 000002
【特許請求の範囲】
【請求項１】
第一締結部材を介して太陽光パネル用架台のフレーム構造体に固定されるとともに、第二締結部材を介して基礎に固定される補強部材本体を備え、
前記補強部材本体は、前記フレーム構造体の少なくとも一部分を収納する第一収納部と、前記第二締結部材の少なくとも一部分を収納する第二収納部と、を有する
ことを特徴とする太陽光パネル用架台の補強部材。
【請求項２】
前記第一収納部は、中間部と、前記中間部の両端部から上方に延在する一対の上部側面部と、を有し、
前記第二収納部は、前記中間部の両端部から下方に延在する一対の下部側面部と、前記下部側面部の下端部から内側へ延在する内側底面部と、を有し、
前記内側底面部の先端部に、突起部が形成されている
ことを特徴とする請求項１に記載の太陽光パネル用架台の補強部材。
【請求項３】
前記第二収納部は、前記中間部の下面から下方に延在する突出部をさらに有することを特徴とする請求項２に記載の太陽光パネル用架台の補強部材。
【請求項４】
アルミニウム合金から形成されることを特徴とする請求項１から３のいずれか一項に記載の太陽光パネル用架台の補強部材。
【請求項５】
請求項１から４のいずれか一項に記載の太陽光パネル用架台の補強部材を利用した太陽光パネル用架台の固定構造であって、前記補強部材と前記基礎との間に、滑り止め部材が配置されていることを特徴とする太陽光パネル用架台の固定構造。
【請求項６】
前記滑り止め部材は、前記補強部材の長さ方向に沿って延在して、前記基礎の上面に当接する底面部と、前記底面部の長さ方向の端部から上方に延在するストッパー部と、を有することを特徴とする請求項５に記載の太陽光パネル用架台の固定構造。
【請求項７】
前記基礎と前記滑り止め部材との間に、角度調整台座が配置されていることを特徴とする請求項５または６に記載の太陽光パネル用架台の固定構造。
【請求項８】
前記角度調整台座は、
前記基礎に固定される第一固定部、および、前記滑り止め部材に固定される第二固定部を有する球面台座と、
前記第一固定部を上下から挟み込む上側座金および下側座金と、を備え、
前記第一固定部の上面は、下方に凹となる曲面に形成される凹状曲面部を有し、
前記第一固定部の凹状曲面部と反対側の下面は、下方に凸となる曲面に形成される凸状曲面部を有し、
前記上側座金の下面は、下方に凸となる曲面に形成されて前記第一固定部の凹状曲面部と面接触する第一曲面部を有し、
前記下側座金の上面は、下方に凹となる曲面に形成されて前記第一固定部の凸状曲面部と面接触する第二曲面部を有し、
前記第二固定部は、前記第一固定部よりも高い位置に形成され、前記第一固定部と前記第二固定部とは、上下方向に延在する立ち上がり部により連結されている
ことを特徴とする請求項７に記載の太陽光パネル用架台の固定構造。
【発明の詳細な説明】
【技術分野】
【０００１】
本発明は、太陽光パネル用架台の補強部材および太陽光パネル用架台の固定構造に関する。
【背景技術】
【０００２】
従来から、太陽光パネルを設置するための太陽光パネル用の架台が公知である（例えば、特許文献１参照）。太陽光パネル用の架台については、軽量化や施工性向上が主に求められてきた。軽量化や施工性向上の要求は基礎に対しても同様であるが、例えば設置面積が小さい仕様の基礎が使用される場合には、その基礎に対応した固定構造が求められる。
【先行技術文献】
【特許文献】
【０００３】
【特許文献１】特開２０１５−１９５７０１号公報
【発明の概要】
【発明が解決しようとする課題】
【０００４】
特許文献１に記載の太陽光パネル用架台では、太陽光パネル用架台のフレーム構造体と基礎とを固定するために、支柱取付金具やブレス固定金具などを使用する。このため、基礎上面の面積が小さい場合には、支柱取付金具やブレス固定金具などを基礎上面に設置し難い。
【０００５】
そこで、本発明は、基礎上面の面積が小さい場合でも、基礎との面圧を十分に確保するができ、太陽光パネル用架台のフレーム構造体と基礎との固定時の作業性に優れる太陽光パネル用架台の補強部材を提供することを目的とする。
【課題を解決するための手段】
【０００６】
本発明の第１の態様は、第一締結部材を介して太陽光パネル用架台のフレーム構造体に固定されるとともに、第二締結部材を介して基礎に固定される補強部材本体を備える太陽光パネル用架台の補強部材である。補強部材本体は、フレーム構造体の少なくとも一部分を収納する第一収納部と、第二締結部材の少なくとも一部分を収納する第二収納部と、を有する。
【０００７】
本発明の第２の態様は、補強部材を利用した太陽光パネル用架台の固定構造である。この固定構造では、補強部材と基礎との間に、滑り止め部材が配置される。
【発明の効果】
【０００８】
本発明に係る太陽光パネル用架台の補強部材では、補強部材または第二締結部材と基礎とが接触する接触面積を増加させることで、基礎上面の面積が小さい場合でも、基礎との面圧を十分に確保することができる。したがって、本発明に係る太陽光パネル用架台の補強部材によれば、太陽光パネル用架台のフレーム構造体と基礎との固定時の作業性を向上させることができる。
【図面の簡単な説明】
【０００９】
【図１】図１は、本発明の実施形態に係る補強部材を利用した太陽光パネル用架台の固定構造の斜視図である。
【図２】図２は、太陽光パネル用架台の固定構造の正面図である。
【図３】図３は、太陽光パネル用架台の固定構造の一部断面正面図である。
【図４】図４は、太陽光パネル用架台の固定構造の側面図である。
【図５】図５は、太陽光パネル用架台の固定構造の分解斜視図である。
【図６】図６は、変形例に係る太陽光パネル用架台の固定構造の斜視図である。
【図７】図７は、変形例に係る太陽光パネル用架台の固定構造の正面図である。
【図８】図８は、別の変形例に係る太陽光パネル用架台の固定構造の分解斜視図である。
【発明を実施するための形態】
【００１０】
以下、本発明の実施形態を図面とともに詳述する。なお、図面において、矢印Ｗは太陽光パネル用架台の幅方向（横方向）を示し、矢印Ｄは太陽光パネル用架台の奥行き方向（縦方向）を示し、矢印Ｈは太陽光パネル用架台の高さ方向を示す。
【００１１】
本発明の実施形態に係る太陽光パネル用架台の補強部材および太陽光パネル用架台の固定構造を図１から図５に基づいて説明する。
【００１２】
まず、太陽光パネル用架台について説明する。
【００１３】
太陽光パネル用架台は、フレーム構造体１を備える。フレーム構造体１は、太陽光パネル２（図４参照）を支持する第一フレーム部材（垂木）３と、第一フレーム部材３を支持し、かつ、直交方向に延在する第二フレーム部材（垂木受け）４と、を有する。この第二フレーム部材４が、補強部材５、滑り止め部材６、角度調整台座７などを介して基礎８に連結される。第一フレーム部材３および第二フレーム部材４はそれぞれ、中空材から構成されている。第一フレーム部材３は、太陽光パネル用架台の奥行き方向Ｄに延在しており、第二フレーム部材４は、太陽光パネル用架台の幅方向Ｗに延在している。本実施形態では、基礎８は、杭基礎から構成されているが、これに限定されず、基礎８は、布基礎やべた基礎などから構成されていてもよい。
【００１４】
第一フレーム部材３と第二フレーム部材４との締結は、第二フレーム部材４の上部に固定されたブラケット部材９と、挟持部材１０と、締結部材１１（ボルト１１ａおよびナット１１ｂ）とを介して行う（図４参照）。
【００１５】
これら第一フレーム部材３、第二フレーム部材４、ブラケット部材９および挟持部材１０は、アルミニウム合金製の押出形材からなる。
【００１６】
これらの各部材がアルミニウム合金製の押出形材からなることにより、鋼材からなるものとした場合と比較すると、太陽光パネル用架台全体を軽量化することが可能になる。また、これらの各部材の寸法精度を高めることができ、太陽光パネル用架台の設置を容易かつ正確に行うことができるとともに、優れた耐食性および外観を得ることができる。さらに、長尺の部材を比較的低コストで製造することができるため、製造コストを低減することができるとともに、アルミニウム合金はリサイクル性に比較的優れているため、太陽光パネル用架台の撤去後に材料を再利用することができる。
【００１７】
本実施形態の補強部材５が固定される第二フレーム部材４は、断面略矩形の筒状の中空材から構成されており、上面、下面および両側面を有する。
【００１８】
第二フレーム部材４の両側面のうち、一方の側面の上部には、第二フレーム部材４にブラケット部材９を固定するためにビス１２が螺合される（図４参照）。一方、第二フレーム部材４の両側面の下部には、第二フレーム部材４と補強部材５とを固定するために用いられるボルト１５ａの頭部を収容する収容部１３が第二フレーム部材４の長手方向に沿ってそれぞれ形成されている。この収容部１３は、第二フレーム部材４の側面の下部に全長に亘って形成されている。ボルト１５ａは六角ボルトであり、収容部１３の幅は、ボルト１５ａの二面幅よりも広く、ボルト１５ａの対角距離よりも狭くなっている。このように構成することにより、収容部１３は、ボルト１５ａの回転を規制する回転止めとして機能する。さらに、収容部１３の開口端には、収容部１３の両側部から互いに対向するようにそれぞれ突出する突出部１４が一対に形成されている。これらの一対の突出部１４，１４同士の間隔は、ボルト１５ａの軸部の外径よりも広く、ボルト１５ａの頭部の外径よりも狭くなっている。このように構成することにより、一対の突出部１４，１４は、収容部１３からのボルト１５ａの脱落を防止する脱落止めとして機能する。
【００１９】
次に、太陽光パネル用架台の固定構造で利用される補強部材５、滑り止め部材６および角度調整台座７について説明する。
【００２０】
本実施形態に係る補強部材５は、第一締結部材１５を介して太陽光パネル用架台のフレーム構造体１に固定されるとともに、第二締結部材１６を介して基礎８に固定される補強部材本体１７を備える。補強部材本体１７は、フレーム構造体１の少なくとも一部分を収納する第一収納部１８と、第二締結部材１６の少なくとも一部分を収納する第二収納部１９と、を有する。本実施形態では、補強部材５と基礎８との間に角度調整台座７を配置しているが、これに限定はされない。例えば、図６および図７に示すように、補強部材５を、上部に固定部８ａを有する基礎８Ａの上に直接配置して固定するようにしてもよい。
【００２１】
補強部材本体１７（補強部材５）は、アルミニウム合金製の押出形材からなる。また、補強部材本体１７は、側面視で略Ｈ字形状に形成されており、本実施形態では、下部（第二収納部１９）の幅が上部（第一収納部１８）の幅よりも大きく形成されている。
【００２２】
補強部材本体１７は、第二フレーム部材４の少なくとも一部分を収納する第一収納部１８と、第二締結部材１６の少なくとも一部分を収納する第二収納部１９と、第一収納部１８と第二収納部１９とを上下に区画する中間部（中段部）２０と、を有して構成される。中間部２０は、矩形板状に形成され、水平方向に沿って延在している。
【００２３】
第一収納部１８は、中間部２０の短手方向の両端部から上方に延在する一対の上部側面部２１，２１を有する。この第一収納部１８においては、中間部２０の上面と、上部側面部２１の内側面とがそれぞれ、第二フレーム部材４と接触するようになっている。このため、一対の上部側面部２１，２１同士の間隔は、第二フレーム部材４の幅と同等の幅とされている。また、上部側面部２１には、補強部材５の長手方向に間隔を隔てて二つのボルト挿通孔２２が形成されている。このボルト挿通孔２２には、第二フレーム部材４と補強部材５とを固定するためのボルト１５ａの軸部が挿通される。
【００２４】
第二収納部１９は、中間部２０の短手方向の両端部から下方に延在する一対の下部側面部２３，２３と、下部側面部２３の下端部から外側へ延在する外側底面部２４と、下部側面部２３の下端部から内側へ延在する内側底面部２５と、を有する。このような第二収納部１９においては、外側底面部２４の下面と、内側底面部２５の下面とがそれぞれ、角度調整台座７の球面台座３４と接触するようになっている。また、内側底面部２５の先端部には、突起部２６が補強部材５の長手方向に沿って形成されている。この突起部２６は、内側底面部２５の先端部に補強部材５の全長に亘って形成されている。
【００２５】
また、第二収納部１９は、中間部２０の下面から下方に延在する突出部２７をさらに有する。本実施形態では、突出部２７は補強部材５の幅方向に間隔を隔てて一対に形成されており、各突出部２７が、中間部２０の下面に補強部材５の全長に亘って形成されている。
【００２６】
滑り止め部材６は、補強部材５の長手方向に間隔を隔てて一対に配置されている。各滑り止め部材６は、補強部材５の長さ方向に沿って延在して、角度調整台座７の球面台座３４の上面に当接する底面部２８と、底面部２８の長手方向の外側端部から上方に延在するストッパー部２９と、を有する。底面部２８には、第二締結部材１６を構成するボルト１６ａを挿通するためのボルト挿通孔３０が上下方向に貫通形成されており、このボルト挿通孔３０は、長穴形状に形成されている。本実施形態では、ボルト挿通孔３０は、太陽光パネル用架台の幅方向Ｗに沿って延設されている。なお、角度調整台座７を使用しない場合は、底面部２８は直接基礎８の上面に接して固定される。
【００２７】
角度調整台座７は、第三締結部材３１を介して基礎８に固定される第一固定部３２、および、第二締結部材１６を介して補強部材５および滑り止め部材６に固定される第二固定部３３を有する球面台座３４と、第一固定部３２を上下から挟み込む上側座金３５および下側座金３６と、を備える。すなわち、本実施形態に係る太陽光パネル用架台の固定構造では、球面台座３４を基礎８に第三締結部材３１により固定し、球面台座３４を太陽光パネル用架台の補強部材５に第二締結部材１６により固定している。
【００２８】
球面台座３４は、第三締結部材３１を介して基礎８に固定される第一固定部３２と、第二締結部材１６を介して補強部材５および滑り止め部材６に固定される第二固定部３３と、上下方向に延在して第一固定部３２と第二固定部３３とを連結する立ち上がり部３７と、を有し、断面ハット形状に形成されている。第二固定部３３は、第一固定部３２よりも高い位置に形成されているとともに、立ち上がり部３７の上端から水平方向に張り出している。また、立ち上がり部３７は、第一固定部３２に締結されている第三締結部材３１を視認することが可能となるように、少なくとも一部分が開放されている。
【００２９】
球面台座３４の第一固定部３２の上面は、下方（下側座金３６側）に凹となる曲面に形成される凹状曲面部３２ａを有し、第一固定部３２の凹状曲面部３２ａと反対側の下面は、下方に凸となる曲面に形成される凸状曲面部３２ｂを有する。球面台座３４は、アルミニウム合金により一体成形され、凹状曲面部３２ａおよび凸状曲面部３２ｂは、絞り加工により球面台座３４に形成されたものである。
【００３０】
球面台座３４の第一固定部３２には、第三締結部材３１を構成するボルト３１ａを挿通するための第一ボルト挿通孔３８が上下方向に貫通形成されている。この第一ボルト挿通孔３８は、ボルト３１ａの軸部の径よりも大きく形成されるとともに、丸穴形状に形成されている。
【００３１】
球面台座３４の第二固定部３３には、第二締結部材１６を構成するボルト１６ａを挿通するための第二ボルト挿通孔３９が上下方向に貫通形成されており、この第二ボルト挿通孔３９は、丸穴形状に形成されている。なお、図８に示すように、球面台座３４の第二固定部３３に、長穴形状の第二ボルト挿通孔３９Ａを形成してもよい。図示例では、第二ボルト挿通孔３９Ａは、太陽光パネル用架台の奥行き方向Ｄに沿って延設される。第二締結部材１６（ボルト１６ａ、ナット１６ｂおよびワッシャー部材４０）をスライドさせることにより、補強部材本体１７を水平方向（太陽光パネル用架台の奥行き方向Ｄ）にシフトさせた状態で第二固定部３３に対して固定することが可能となる。
【００３２】
上側座金３５の下面は、下方に凸となる曲面に形成されて球面台座３４の第一固定部３２の凹状曲面部３２ａと面接触する第一曲面部３５ａを有し、上側座金３５の第一曲面部３５ａと反対側の上面は、平坦な面である第一平坦面部３５ｂを有する。上側座金３５には、第三締結部材３１を構成するボルト３１ａを挿通するための第一孔部３５ｃが形成されており、この第一孔部３５ｃは、ボルト３１ａの軸部の径よりも大きく形成されるとともに、丸穴形状に形成されている。
【００３３】
一方、下側座金３６の上面は、下方に凹となる曲面に形成されて球面台座３４の第一固定部３２の凸状曲面部３２ｂと面接触する第二曲面部３６ａを有し、下側座金３６の第二曲面部３６ａと反対側の下面は、平坦な面である第二平坦面部３６ｂを有する。下側座金３６には、第三締結部材３１を構成するボルト３１ａを挿通するための第二孔部３６ｃが形成されており、この第二孔部３６ｃは、ボルト３１ａの軸部の径よりも大きく形成されるとともに、丸穴形状に形成されている。
【００３４】
フレーム構造体１の第二フレーム部材４と補強部材５との固定は、ボルト１５ａおよびナット１５ｂ（第一締結部材１５）を介して行う。具体的には、まず、補強部材本体１７のボルト挿通孔２２にボルト１５ａを挿入しておき、第二フレーム部材４をスライドさせてボルト１５ａの頭部を収容部１３に収容し、このボルト１５ａの軸部を収容部１３からボルト挿通孔２２を通って突出させる。そして、ボルト挿通孔２２から突出したボルト１５ａの軸部にナット１５ｂを締め付けると、第二フレーム部材４と補強部材５とがボルト１５ａおよびナット１５ｂによって挟持される。これにより、フレーム構造体１の第二フレーム部材４と補強部材５とが固定される。
【００３５】
また、角度調整台座７の球面台座３４と基礎８との固定は、ボルト３１ａおよびナット３１ｂ（第三締結部材３１）、上側座金３５、下側座金３６を介して行う。角度調整台座７の球面台座３４と補強部材５および滑り止め部材６との固定は、ボルト１６ａ、ナット１６ｂおよびワッシャー部材４０（第二締結部材１６）を介して行う。ワッシャー部材４０の上面には、上方に向かって突出し、かつ、ボルト１６ａの頭部を挟んで対向する一対の回転防止用突条４１，４１が形成されている。一方、ワッシャー部材４０の下面には、補強部材５の第二収納部１９に設けられた突起部２６が入り込む溝部４２が形成されている。
【００３６】
ボルト３１ａおよびナット３１ｂ（第三締結部材３１）を用いて角度調整台座７の球面台座３４と基礎８とを固定する際には、球面台座３４を下側座金３６に対して傾けることで、所望の傾斜角度をつけて球面台座３４と基礎８とを固定することができる。なお、図１から図５において、符号４３は、高さ調整用のナットを示す。
【００３７】
以下に、本実施形態による作用効果を説明する。
【００３８】
（１）本実施形態に係る補強部材５は、第一締結部材１５を介して太陽光パネル用架台のフレーム構造体１に固定されるとともに、第二締結部材１６を介して基礎８に固定される補強部材本体１７を備える。補強部材本体１７は、フレーム構造体１の少なくとも一部分を収納する第一収納部１８と、第二締結部材１６の少なくとも一部分を収納する第二収納部１９と、を有する。
【００３９】
本実施形態に係る補強部材５では、補強部材５（補強部材本体１７）または第二締結部材１６と基礎８とが接触する接触面積を増加させることで、基礎８上面の面積が小さい場合でも、基礎８との面圧を十分に確保することができる。したがって、本実施形態に係る補強部材５によれば、太陽光パネル用架台のフレーム構造体１と基礎８との固定時の作業性を向上させることができる。
【００４０】
（２）第一収納部１８は、中間部２０と、中間部２０の両端部から上方に延在する一対の上部側面部２１，２１と、を有する。第二収納部１９は、中間部２０の両端部から下方に延在する一対の下部側面部２３，２３と、下部側面部２３の下端部から内側へ延在する内側底面部２５と、を有し、内側底面部２５の先端部に、突起部２６が形成されている。
【００４１】
第一収納部１８が中間部２０と一対の上部側面部２１，２１を有することにより、補強部材５（補強部材本体１７）とフレーム構造体１とが接触する接触面積を増加させることで、フレーム構造体１との面圧を十分に確保することができる。また、第二収納部１９が一対の下部側面部２３，２３と内側底面部２５とを有することにより、補強部材５（補強部材本体１７）または第二締結部材１６と基礎８とが接触する接触面積を増加させることができる。これにより、基礎８上面の面積が小さい場合でも、基礎８との面圧を十分に確保することができる。
【００４２】
（３）第二収納部１９は、中間部２０の下面から下方に延在する突出部２７をさらに有する。
【００４３】
中間部２０の下面から下方に延在する突出部２７によって、第二締結部材１６による締結が緩んだ際などに、滑り止め部材６が第二収納部１９の内部に入り込むことを抑制することができる。
【００４４】
（４）補強部材５は、アルミニウム合金から形成される。
【００４５】
これにより、補強部材５が鋼材から形成される場合と比較すると、補強部材５全体を軽量化することが可能になる。また、補強部材５の寸法精度を高めることができ、太陽光パネル用架台の設置を容易かつ正確に行うことができるとともに、優れた耐食性および外観を得ることができる。さらに、アルミニウム合金はリサイクル性に比較的優れているため、太陽光パネル用架台の撤去後に、補強部材５の材料を再利用することができる。
【００４６】
（５）本実施形態に係る太陽光パネル用架台の固定構造は、補強部材５を利用したものである。この太陽光パネル用架台の固定構造では、補強部材５と基礎８との間に、滑り止め部材６が配置されている。
【００４７】
滑り止め部材６によって、第二締結部材１６による締結が緩んだ際に、第二締結部材１６（例えば、ワッシャー部材４０）が第二収納部１９の内部から脱落することを抑制することができる。
【００４８】
（６）滑り止め部材６は、補強部材５の長さ方向に沿って延在して、基礎８の上面に当接する底面部２８と、底面部２８の長さ方向の端部から上方に延在するストッパー部２９と、を有する。
【００４９】
ストッパー部２９によって、第二締結部材１６による締結が緩んだ際に、第二締結部材１６のボルト１６ａおよびナット１６ｂで固定されたワッシャー部材４０により抑えられていた補強部材５が基礎８の上から脱落することを抑制することができる。
【００５０】
（７）基礎８と滑り止め部材６との間に、角度調整台座７が配置されている。
【００５１】
太陽光パネル用架台を設置する地面の傾斜や地盤の状態などによって、基礎８の水平度にバラツキが生じる場合であっても、太陽光パネル用架台の設置時に基礎８に対する太陽光パネル用架台の傾斜角度を調整することが可能となる。
【００５２】
（８）角度調整台座７は、基礎８に固定される第一固定部３２、および、滑り止め部材６に固定される第二固定部３３を有する球面台座３４と、第一固定部３２を上下から挟み込む上側座金３５および下側座金３６と、を備える。第一固定部３２の上面は、下方に凹となる曲面に形成される凹状曲面部３２ａを有し、第一固定部３２の凹状曲面部３２ａと反対側の下面は、下方に凸となる曲面に形成される凸状曲面部３２ｂを有する。上側座金３５の下面は、下方に凸となる曲面に形成されて第一固定部３２の凹状曲面部３２ａと面接触する第一曲面部３５ａを有し、下側座金３６の上面は、下方に凹となる曲面に形成されて第一固定部３２の凸状曲面部３２ｂと面接触する第二曲面部３６ａを有する。第二固定部３３は、第一固定部３２よりも高い位置に形成され、第一固定部３２と第二固定部３３とは、上下方向に延在する立ち上がり部３７により連結されている。
【００５３】
この角度調整台座７では、球面台座３４の下面に形成された凸状曲面部３２ｂおよび下側座金３６の上面に形成された第二曲面部３６ａがともに曲面形状である。このため、球面台座３４の下面に形成された凸状曲面部３２ｂと下側座金３６の上面に形成された第二曲面部３６ａとを互いにスムーズに摺接させることができる。また、球面台座３４を下側座金３６に対して傾けることで、所望の傾斜角度をつけて球面台座３４をボルト３１ａおよびナット３１ｂ（第三締結部材３１）により締結することができる。
【００５４】
また、角度調整台座７では、下側座金３６における凹状の第二曲面部３６ａの上に、球面台座３４の凸状曲面部３２ｂを面接触させる。このようにすることで、球面台座３４の回転中心が球面台座３４の重心（図心）よりも上方に位置し、且つ、球面台座３４の回転中心と球面台座３４の重心（図心）との間の距離が比較的短くなる。このため、球面台座３４を下側座金３６に対してある程度傾けたとしても、球面台座３４の凸状曲面部３２ｂが下側座金３６における凹状の第二曲面部３６ａに沿って滑る力を比較的小さく抑えることができる。したがって、角度調整台座７によれば、球面台座３４を安定的に下側座金３６の上に支持させることができ、球面台座３４が下側座金３６の上から滑り落ちるのを抑制することができる。
【００５５】
ところで、本発明の太陽光パネル用架台の補強部材及び太陽光パネル用架台の固定構造は前述の実施形態に例をとって説明したが、この実施形態に限ることなく本発明の要旨を逸脱しない範囲で他の実施形態を各種採用することができる。
【符号の説明】
【００５６】
１  フレーム構造体
５  補強部材
６  滑り止め部材
７  角度調整台座
８  基礎
１５  第一締結部材
１６  第二締結部材
１７  補強部材本体
１８  第一収納部
１９  第二収納部
２０  中間部
２１  上部側面部
２３  下部側面部
２５  内側底面部
２６  突起部
２７  突出部
２８  底面部
２９  ストッパー部
３２  第一固定部
３３  第二固定部
３４  球面台座
３５  上側座金
３６  下側座金
３７  立ち上がり部
【図１】
2017121167.tif 000003
【図２】
2017121167.tif 000004
【図３】
2017121167.tif 000005
【図４】
2017121167.tif 000006
【図５】
2017121167.tif 000007
【図６】
2017121167.tif 000008
【図７】
2017121167.tif 000009
【図８】
2017121167.tif 000010